(57)【要約】【課題】前後幅寸法を小さくできて遊技機の限られた前後スペース内において配置レイアウトが容易になるとともに光飾効果も高い光飾装置を備えた遊技機を提供する。【解決手段】光飾装置１００を備えた遊技機であって、光飾装置１００は、反射板１１０と、反射板１１０の前方に設けられた複数の導光板１２０，１３０と、各導光板の端面(上端面１２１，１３１）と対向するように配置されて導光板と反射板とに光を照射する発光体（ＬＥＤ１４０，１５０）とを備えたことを特徴とする。【選択図】図５
2016214672.tif 000002
【特許請求の範囲】
【請求項１】
光飾装置を備えた遊技機であって、
光飾装置は、反射板と、反射板の前方に設けられた複数の導光板と、各導光板の端面と対向するように配置されて導光板と反射板とに光を照射する発光体とを備えたことを特徴とする遊技機。
【請求項２】
前記複数の導光板として、前記反射板の前方に設けられて前記反射板と面対向するように配置された後側導光板と、当該後側導光板の前方に設けられて当該後側導光板と面対向するように配置された前側導光板とを備え、
前記前側導光板は、中央側面発光部と、当該中央側面発光部を囲んで当該中央側面発光部よりも強く面発光する縁取面発光部とを備え、
前記後側導光板は、光が当該後側導光板の後方から前記前側導光板に到達しないように当該光を遮る遮光部と、当該遮光部で囲まれた中央側面発光部とを備え、
前記前側導光板の端面と対向するように配置された発光体から出射した光によって前記前側導光板の中央側面発光部及び縁取面発光部が面発光するとともに、前記後側導光板の端面と対向するように配置された発光体から出射した光によって前記後側導光板の中央側面発光部が面発光するように構成され、
前方から見た場合に前記縁取面発光部が前記前側導光板の中央側面発光部及び前記後側導光板の中央側面発光部を囲むように配置され、かつ、前記遮光部が前記縁取面発光部の外側を囲むように配置されることによって、前記縁取面発光部が前記中央側面発光部よりも強く光って強調されたように視認され、かつ、前記遮光部が前記中央側面発光部よりも暗く視認されるように構成されたことを特徴とする請求項１に記載の遊技機。
【発明の詳細な説明】
【技術分野】
【０００１】
本発明は、光飾装置を備えた遊技機に関する。
【背景技術】
【０００２】
従来、光飾装置を備えた遊技機が知られている（特許文献１参照）。当該光飾装置は、ＬＥＤから出射する光によって導光板を面発光させる構成である。
【０００３】
従来の光飾装置は、ＬＥＤを搭載した基板の面と導光板の面とが対向するように構成されている。
【先行技術文献】
【特許文献】
【０００４】
【特許文献１】特開２０１４−１１３号公報
【発明の概要】
【発明が解決しようとする課題】
【０００５】
遊技機は、限られた前後スペース内で様々な遊技部品が配置されて構成されている。このため、遊技部品の前後幅寸法をできるだけ小さくすることが好ましい。
しかしながら、従来の遊技部品としての上述した光飾装置は、ＬＥＤを搭載した基板の面と導光板の面とが対向するように構成されているため、前後幅寸法が大きくなってしまうという課題があった。
【０００６】
本発明は上記課題を解決すべく、前後幅寸法を小さくできて遊技機の限られた前後スペース内において配置レイアウトが容易になるとともに光飾効果も高い光飾装置を備えた遊技機を提供する。
【課題を解決するための手段】
【０００７】
上記課題を解決するための本発明に係る遊技機は、光飾装置を備えた遊技機であって、光飾装置は、反射板と、反射板の前方に設けられた複数の導光板と、各導光板の端面と対向するように配置されて導光板と反射板とに光を照射する発光体とを備えたことを特徴とする。
また、前記複数の導光板として、前記反射板の前方に設けられて前記反射板と面対向するように配置された後側導光板と、当該後側導光板の前方に設けられて当該後側導光板と面対向するように配置された前側導光板とを備え、前記前側導光板は、中央側面発光部と、当該中央側面発光部を囲んで当該中央側面発光部よりも強く面発光する縁取面発光部とを備え、前記後側導光板は、光が当該後側導光板の後方から前記前側導光板に到達しないように当該光を遮る遮光部と、当該遮光部で囲まれた中央側面発光部とを備え、前記前側導光板の端面と対向するように配置された発光体から出射した光によって前記前側導光板の中央側面発光部及び縁取面発光部が面発光するとともに、前記後側導光板の端面と対向するように配置された発光体から出射した光によって前記後側導光板の中央側面発光部が面発光するように構成され、前方から見た場合に前記縁取面発光部が前記前側導光板の中央側面発光部及び前記後側導光板の中央側面発光部を囲むように配置され、かつ、前記遮光部が前記縁取面発光部の外側を囲むように配置されることによって、前記縁取面発光部が前記中央側面発光部よりも強く光って強調されたように視認され、かつ、前記遮光部が前記中央側面発光部よりも暗く視認されるように構成されたことを特徴とする。
なお、上記発明の概要は、本発明の必要な特徴の全てを列挙したものではなく、特徴群を構成する個々の構成もまた発明となり得る。
【発明の効果】
【０００８】
上記各構成に係る遊技機によれば、前後幅寸法を小さくできて遊技機の限られた前後スペース内において配置レイアウトが容易になるとともに光飾効果も高い光飾装置を備えた遊技機を得ることができる。
【図面の簡単な説明】
【０００９】
【図１】パチンコ機の概略斜視図。
【図２】遊技盤の正面図。
【図３】遊技盤から光飾装置の導光板及びＬＥＤ設置基板を分解して示した分解斜視図。
【図４】光飾装置を示す斜視図。遊技盤を構成する複数の部品を示す分解斜視図。
【図５】光飾装置の構成及び作用を示す断面図（ハッチングは省略している）。
【図６】パチンコ機の制御ブロック図である。
【発明を実施するための形態】
【００１０】
以下、実施形態を通じて本発明を詳説するが、以下の実施形態は特許請求の範囲に係る発明を限定するものではなく、また実施形態の中で説明される特徴の組み合わせの全てが発明の解決手段に必須であるとは限らない。
【００１１】
図１に示すように、遊技機の一例としてのパチンコ機１は遊技場の島設備に設置される縦長方形状の機枠２と、この機枠２の一側部においてヒンジ機構により開閉自在に取付けられた本体枠３と、当該本体枠３内に収容された遊技盤３０（図２参照）と、本体枠３の前方において開閉可能に軸着され、中央部に配設されたガラス窓４Ａ及びガラス窓４Ａの下方に設けられた受皿６を有するパネル枠４と、パネル枠４の下部一側部より前方に突設されたハンドルユニット７、及びパネル枠４の上部両側部に配設されたスピーカユニット８を主たる構成として備える。パネル枠４が本体枠３側に閉じられた状態において、パチンコ機１の前方に着座する遊技者からは、パネル枠４に配設されたガラス窓４Ａを介して本体枠３内に収容された遊技盤３０の遊技領域３０Ａ（図２，図３参照）を視認することが可能である。
【００１２】
受皿６の中央部には、遊技者の任意によって操作可能な操作手段としての操作機構９が配設される。操作機構９は、遊技者による押下操作が可能な円形のプッシュボタン９Ａと、当該プッシュボタン９Ａの周囲において遊技者による回動操作が可能なダイアル９Ｂとにより構成される。操作機構９は、後述する演出制御回路２７０と接続されており、プッシュボタン９Ａ、及びダイアル９Ｂから出力される信号は、演出制御回路２７０側に入力する。受皿６には、この他、球貸ボタンや返却ボタン等が配設されており、これらのボタン操作によって図外のＣＲユニットに投入されたＩＣカード等の記録媒体に記録された貸し球可能数に対応する遊技球の貸し出し動作、或いは記録媒体の返却動作が実行される。
【００１３】
［遊技盤の構成について］
本体枠３内に収容される遊技盤３０は、図２;図３に示すように、前面が遊技盤３０の盤面３０Ｆを形成する盤面構成体３１Ａと、盤面構成体３１Ａの後側に配置された例えば左右の役物装置２００，２００、及び、上下の演出表示装置２１０，２１０とを備えた構成である。
演出表示装置２１０は、例えば液晶表示画面等の演出表示画面２１５を備え、当該演出表示画面２１５に１〜８までの数字、及び特定のキャラクター等からなる演出図柄を変動表示可能な液晶表示装置である。
演出表示装置２１０の演出表示画面２１５には、演出図柄の他、演出図柄の変動表示に伴って予告演出やリーチ演出とも呼ばれる画像や動画によって表現される多様な変動演出が表示され、遊技者は一般に、演出表示画面２１５上に表示される変動表示、及び変動演出を視認しながら遊技を楽しむこととなる。
【００１４】
図２，図３に示すように、盤面構成体３１Ａの中央部には、遊技者が上下の演出表示画面２１５，２１５や左右の役物装置２００，２００を盤面構成体３１Ａの前方から目視可能とするための表示孔３１Ｈが形成されている。盤面構成体３１Ａは、表示孔３１Ｈの開口の面積と盤面３０Ｆの面積との比が例えば１：１程度となるように形成されている。
【００１５】
盤面構成体３１Ａの盤面３０Ｆ側における表示孔３１Ｈの周囲には、遊技球誘導壁部３５が前方に向けて突設されている。遊技球誘導壁部３５は、盤面構成体３１Ａの盤面３０Ｆ側における表示孔３１Ｈの上側開口縁、及び左右両側の開口縁を略円形状に取り囲むように延在する壁部である。上述のガラス窓４Ａが閉じられた場合において、遊技球誘導壁部３５の前端部とガラス窓４Ａとは、遊技球の直径未満で接近し、遊技球誘導壁部３５で囲まれた内側に遊技球が進入することは不可能とされる。
また、表示孔３１Ｈの上側開口縁の下に位置されるように、表示孔３１Ｈの上側開口縁を取り囲む遊技球誘導壁部３５には光飾装置１００が取付けられている。
【００１６】
遊技盤３０には、遊技盤３０の盤面３０Ｆと、遊技球誘導壁部３５と、外ガイド部２７及び内ガイド部２８とによって区画された遊技領域３０Ａが形成される。遊技領域３０Ａは、遊技盤３０の盤面３０Ｆとガラス窓４Ａの後面との間に形成された遊技球の流下可能な空間である。また、遊技盤３０の盤面３０Ｆには、多数の釘２４や風車２５が稙設されており、遊技者のハンドルユニット７の操作に応じて駆動する図外の発射機構により発射され、遊技領域３０Ａ内に到達した遊技球は、多数の釘２４や風車２５によって不規則に誘導されつつ遊技領域３０Ａ内を流下する。
【００１７】
また、本実施形態において遊技領域３０Ａは、図２に示すように、概ね左打ち領域ＥＬと右打ち領域ＥＲとに区分けされている。左打ち領域ＥＬは、遊技盤３０の左右中心線ＣＬよりも左側の領域であり、当該左打ち領域ＥＬに到達した遊技球は遊技領域３０Ａ内を流下する。
一方、右打ち領域ＥＲは、遊技領域３０Ａの左右中心線ＣＬよりも右側の領域であり、当該右打ち領域ＥＲに到達した遊技球は、遊技球の直径よりも僅かに広く、２個以上の遊技球が流下不能な右打ち通路３６を通って遊技領域３０Ａ内を１個ずつ流下する。
【００１８】
遊技盤３０の遊技領域３０Ａ内には、第１始動部品５０、第２始動部品５２、大入賞装置６０、一般入賞部品６６等が配設されており、これらの入賞部品や入賞装置に遊技球が入球すると、各入賞部品等に対応した所定数の賞球が受皿６に払出される。
また、遊技球が第１始動部品５０、又は第２始動部品５２に入球すると、上記賞球の払出しの他、大入賞装置６０を開放動作させ、遊技者にとって有利な状態を醸成する特別遊技の可否に関する抽選（特図当否抽選）や、当該特別遊技の態様を決定する抽選を始めとする各種の抽選が主制御回路２４０により実行される。即ち、第１始動部品５０、又は第２始動部品５２への遊技球の入球は、上記各種の抽選を受ける契機となるものである。
【００１９】
以下、各入賞装置の構成について説明する。
第１始動部品５０は、遊技領域３０Ａの左右方向略中央において、上記表示孔３１Ｈの下側開口縁に沿って設けられたステージ４７の下方に配設される。第１始動部品５０は、遊技盤３０の盤面３０Ｆより前方に突出し、上方が開口した入賞部５０Ａと、第１始動口検出スイッチＳＷ１（図６参照）とを備え、入賞部５０Ａの上方開口（第１始動口）より内部に取り込まれた遊技球は、内部に配設された第１始動口検出スイッチＳＷ１によって検出される。
【００２０】
図６に示すように、第１始動口検出スイッチＳＷ１は、主制御回路２４０と接続されており、主制御回路２４０は第１始動口検出スイッチＳＷ１からの検出信号に基づいて前述した各種の抽選処理や、賞球を例えば３個払い出す賞球払出処理を実行する。なお、本例において第１始動部品５０の位置は、上述の左打ち領域ＥＬを流下する遊技球のみが入球し得る位置に設定されている。
【００２１】
第２始動部品５２は、右打ち領域ＥＲ内において前述の第１始動部品５０、大入賞装置６０よりも上方に配設される。第２始動部品５２は、遊技盤３０の盤面３０Ｆより前方に突出し、側部が開口した矩形状の入賞部５２Ａと、第２始動口検出スイッチＳＷ２（図６参照）と、入賞部５２Ａの側部において開閉動作可能に設けられた開閉体５３とを備える。図２，図３に示すように、矩形状の入賞部５２Ａは例えば透明なケーシングにより形成されており、遊技者は入賞部５２Ａの側部開口（第２始動口）への遊技球の入球有無を視認可能である。入賞部５２Ａ内に入球した遊技球は、内部に配設された第２始動口検出スイッチＳＷ２により検出される。
図６に示すように、第２始動口検出スイッチＳＷ２は主制御回路２４０と接続されており、主制御回路２４０は第２始動口検出スイッチＳＷ２からの検出信号に基づいて前述した各種の抽選処理や、賞球を例えば３個払い出す賞球払出処理を実行する。
【００２２】
開閉体５３は、盤面構成体３１Ａの後面側に配設されたソレノイドＳＯＬ１（図６参照）の駆動によって閉鎖状態と開放状態とを取り得る羽根状部材である。図２に示すように、開閉体５３が直立した閉鎖状態においては、開閉体５３の自由端部が、遊技盤３０の盤面３０Ｆより前方に突出し、上下方向に延在する流下阻止壁５７の下端部と遊技球の直径未満の間隔で接近することから、遊技球は第２始動部品５２の入賞部５２Ａに入球することはできない。一方、図３に示すように、開閉体５３が左右方向に倒伏した開放状態においては、開閉体５３の自由端部が流下阻止壁５７の下端部と遊技球の直径以上の間隔を有して離間することから、遊技球は第２始動部品５２の入賞部５２Ａに入球可能となる。なお、第２始動部品５２の位置は、上述の右打ち領域ＥＲに打ち出された遊技球のみが入球し得る位置に設定されており、遊技球が右打ち領域ＥＲを流下し、かつ、開閉体５３が開放動作中である場合に限って入球が可能となる。
【００２３】
第２始動部品５２の上方には、通過ゲート５８が配設される。通過ゲート５８は、上下が開放した門型の遊技部品であって、その内部にはゲート検出スイッチＳＷ３（図６参照）が格納されている。通過ゲート５８を通過した遊技球は、ゲート検出スイッチＳＷ３によって検出される。主制御回路２４０は、ゲート検出スイッチＳＷ３からの検出信号の入力を契機として前述の開閉体５３の開放の可否に関する各種の抽選を実行する。
【００２４】
次に、大入賞装置６０について概説する。図２に示すように、大入賞装置６０は、右打ち領域ＥＲにおいて、第２始動部品５２の下方に配設される入賞装置である。同図の破線に示すように、大入賞装置６０は、上方開放の入球口として形成された大入賞口６０Ａと、当該大入賞口６０Ａを閉鎖状態又は開放状態とする開閉体６５とを備える。開閉体６５は、ソレノイドＳＯＬ２の駆動によって遊技盤３０の前後方向に開閉動作する部材である。開閉体６５が前方に突出して大入賞口６０Ａを閉鎖した状態において、遊技球は大入賞口６０Ａ内に入球することなく遊技領域３０Ａの下流に流下する。一方、後述の特別遊技が実行され、開閉体６５が後方に没入して大入賞口６０Ａを開放した状態において、遊技球は大入賞口６０Ａ内に入球し、内部に配設された大入賞口検出スイッチＳＷ４（図６参照）によって検出された後、機外に排出される。大入賞口検出スイッチＳＷ４は、主制御回路２４０と接続されており、主制御回路２４０側では、当該大入賞口検出スイッチＳＷ４からの検出信号の入力に基づいて賞球を例えば１５個払い出す賞球払出処理を実行する。上記構成からなる大入賞装置６０の位置は、右打ち領域ＥＲに打ち出された遊技球のみが入球し得る位置とされており、遊技球が右打ち領域ＥＲを流下し、かつ、特別遊技中において開閉体６５が開放動作中である場合に限って大入賞口６０Ａへの入球が可能となる。
【００２５】
一般入賞部品６６は、遊技盤３０の左下側部に配設された部材であって、上方開口の複数の一般入賞口６６ａと、一般入賞口検出スイッチＳＷ５（図６参照）とを備えており一般入賞口６６ａから入球した遊技球は、内部に収容された一般入賞口検出スイッチＳＷ５により検出される。当該一般入賞口検出スイッチＳＷ５は主制御回路２４０と接続されており、主制御回路２４０は一般入賞口検出スイッチＳＷ５からの検出信号に応じて賞球を例えば３個払い出す賞球払出処理を実行する。また、上述した各入賞装置のいずれにも入球しなかった遊技球は、遊技領域の複数箇所に開設された複数のアウト口６９に入球し、当該アウト口６９と連通する図外の排出通路を介して機外に排出される。
【００２６】
［光飾装置１００の構成について］
光飾装置１００は、反射板（リフレクター）１１０と、反射板１１０の前方に設けられた２枚の導光板１２０，１３０と、各導光板１２０，１３０の上端面（端面）１２１，１３１と対向するように配置されて導光板１２０，１３０と反射板１１０とに光を照射する発光体（光源）としてのＬＥＤ１４０，１５０と、反射板１１０、導光板１２０，１３０、ＬＥＤ１４０，１５０を所定の状態に取付けるための取付手段とを備える。
光飾装置１００の取付手段は、表示孔３１Ｈの上側開口縁を取り囲む遊技球誘導壁部３５に取付けられた取付ベース１７０と、取付ベース１７０の前面に取付けられた板設置部材１７１と、板設置部材１７１の上端縁側後面に取付けられた基板板設置部材１７２とを備える。
光飾装置１００は、反射板１１０が板設置部材１７１の前面に形成されるとともに、導光板１２０，１３０が板設置部材１７１の前面に取付けられ、かつ、ＬＥＤ１４０，１５０が各導光板１２０，１３０の上端面１２１，１３１と対向するようにＬＥＤ１４０，１５０を搭載した基板１６０が基板板設置部材１７２に取付けられて構成される。
取付手段及び反射板１１０は、例えば、ＡＢＳ樹脂等の合成樹脂により形成される。
【００２７】
２枚の導光板１２０，１３０は、前側の導光板（以下、前側導光板という）１２０と後側の導光板（以下、後側導光板という）１３０である。
後側導光板１３０は、例えば、アクリル樹脂等の合成樹脂により形成され、反射板１１０の前方に設けられて板の後面が反射板１１０の前面と所定の間隔を隔てて対向するように配置される。
前側導光板１２０は、例えば、アクリル樹脂等の合成樹脂により形成され、後側導光板１３０の前方に設けられて板の後面が後側導光板１３０の前面と所定の間隔を隔てて対向するように配置される。
即ち、反射板１１０、後側導光板１３０、前側導光板１２０は、互いに面が所定の間隔を隔てて対向するように配置される。
【００２８】
前側導光板１２０の前面は、基準となる平面により形成された基準前面１２２と、基準前面１２２より前側に隆起する隆起部１２３とを備える。当該隆起部１２３によって、前側導光板１２０の前面に文字や記号によるロゴマーク等の光意匠部が形成される。
隆起部１２３の前面である意匠部前面１２４（中央側面発光部）は、基準前面１２２と平行な平面に細かな凹凸が形成された光拡散部として機能する凹凸面により構成される。
隆起部１２３の周面である意匠部周面１２５（縁取面発光部）は、意匠部前面１２４の周縁から基準前面１２２に向けて傾斜する傾斜面により構成される。
意匠部前面１２４を挟んで対向する意匠部周面１２５の各傾斜面は、図５に示すように、意匠部前面１２４を挟む意匠部前面１２４との境界縁間の距離ａよりも基準前面１２２との境界縁間の距離ｂが長くなるような傾斜面により形成される。即ち、当該各傾斜面は、前側において互いに接近し、後側において互いに離間するような傾斜面に形成される。
前側導光板１２０の後面は、基準前面１２２と平行な平面により形成された基準後面１２６と、基準後面１２６から前方に窪むように形成された凹溝により構成された光反射部１２７とを備える。
光反射部１２７は、意匠部周面１２５と対応する基準後面１２６の位置に形成される。当該光反射部１２７は、例えば断面三角形状（例えば正三角形の底辺と２つの頂角が基準後面１２６と同一平面上に位置して１つのの頂角が前方に位置する溝底を形成するような断面三角形状）の凹溝により形成される。
光意匠部が、例えば図４に示すように、「ＣＡＴＳ」という文字の場合、意匠部前面１２４によって「ＣＡＴＳ」という文字が形成され、意匠部周面１２５によって「ＣＡＴＳ」という文字の周囲を縁取る前側文字縁取面発光部が形成され、前側文字縁取面発光部と対応するように基準後面１２６側において光反射部１２７により「ＣＡＴＳ」という文字の周囲を後側で縁取る後側文字縁取面発光部が形成される。
【００２９】
即ち、前側導光板１２０は、意匠部前面１２４と対応する板部分により中央側面発光部が形成されて、かつ、意匠部周面１２５及び光反射部１２７と対応する板部分により中央側面発光部よりも強く面発光する縁取面発光部が形成された構成である。
【００３０】
後側導光板１３０の前面は、基準となる平面により形成された基準前面１３２と、基準前面１３２より前側に隆起した隆起部の前面に金属メッキ等が施されて形成され後方からの光が前方に透過しないように遮る遮光部１３３とを備える。
基準前面１３２のうち遮光部１３３で囲まれた内側部分１３４は、前側導光板１２０の光意匠部を形成する文字や記号等と同じ文字や記号等の光意匠部に形成されている。当該後側導光板１３０の光意匠部を形成する内側部分１３４の後面１３６は、光を前方に拡散させるための細かな凹凸が形成された光拡散部１３５として機能する凹凸面に形成されている。
【００３１】
即ち、内側部分１３４と対応する板部分により後側導光板１３０の中央側面発光部が形成され、遮光部１３３が当該中央側面発光部の前面である内側部分１３４を取り囲むように形成されている。そして、後側導光板１３０の上端面１３１と対向するように配置されたＬＥＤ１５０から出射した光が前側導光板１２０に到達しないように遮光部１３３で遮られる。
【００３２】
反射板１１０は、前側導光板１２０の光意匠部と対向した当該光意匠部とほぼ同一外径寸法の光反射部１１１を備える。
光反射部１１１は前面に例えば金属メッキが施されて形成された構成であり、前側導光板１２０の意匠部前面１２４と平行に対向する光拡散反射面部１１２と、後側導光板１３０の後面１３６と平行な面を対象面として前側導光板１２０の意匠部周面１２５を形成する傾斜面とほぼ面対称に形成された反射傾斜面部１１３とを備えた構成である。
即ち、光拡散反射面部１１２は例えば金属メッキされた凹凸面により形成され、反射傾斜面部１１３は例えば金属メッキされた傾斜平面により形成されている。
【００３３】
従って、図５に示すように、後側導光板１３０の上端面１３１と対向するように配置されたＬＥＤ１５０から出射した光が後側導光板１３０中を進行して光拡散部１３５によって前方に拡散し、後側導光板１３０の光意匠部（内側部分１３４）及び前側導光板１２０の意匠部前面１２４の光拡散部を介して前側導光板１２０の前方に拡散される（二点鎖線ｘ１参照）ため、前側導光板１２０の前方で遊技を行う遊技者には、前側導光板１２０の光意匠部における意匠部前面１２４が弱く（淡く）面発光しているように目視される。
さらに、前側導光板１２０の上端面１２１と対向するように配置されたＬＥＤ１４０から出射した光が、前側導光板１２０中を進行して光反射部１２７の光反射作用で前側導光板１２０の前方に集中的に出射する（二点鎖線ｘ２参照）。即ち、後側導光板１３０の遮光部１３３の前方において意匠部周面１２５及び光反射部１２７と対応する板部分により構成された前側導光板１２０の縁取面発光部が、光反射部１２７の光反射作用で集中的な面発光を行うので、前側導光板１２０の意匠部前面１２４を囲む意匠部周面１２５が意匠部前面１２４よりも強い光で縁取りされて強調される。
【００３４】
また、後側導光板１３０の上端面１３１と対向するように配置されたＬＥＤ１５０から出射した光が、二点鎖線ｘ３で示すように光拡散反射面部１１２により前方に拡散して反射するとともに、反射傾斜面部１１３を反射して光拡散反射面部１１２に届いて光拡散反射面部１１２により前方に拡散して反射する。さらに、前側導光板１２０の上端面１２１と対向するように配置されたＬＥＤ１４０から出射した光が、二点鎖線ｘ４で示すように光拡散反射面部１１２により前方に拡散して反射するとともに、反射傾斜面部１１３を反射して光拡散反射面部１１２に届いて光拡散反射面部１１２により前方に拡散して反射する。
従って、ＬＥＤ１５０及びＬＥＤ１４０から出射した光を無駄なく有効使用できて、前側導光板１２０の光意匠部（中央側面発光部）を透過する光量を増やすことができるので、光装飾効果を向上させることができる。
【００３５】
また、光が当該遮光部１３３によって遮られて前側の遊技者に届かず、基準前面１３２のうち遮光部１３３で囲まれた内側部分１３４により形成された光意匠部を透過する光が強調されて前側の遊技者に届くようになるため、前側導光板１２０の光意匠部が強調されて遊技者に目視されるようになる。
【００３６】
即ち、光飾装置１００は、前側導光板１２０の上端面１２１と対向するように配置されたＬＥＤ１４０から出射した光によって前側導光板１２０の中央側面発光部及び縁取面発光部が面発光するとともに、後側導光板１３０の上端面１３１と対向するように配置されたＬＥＤ１５０から出射した光によって後側導光板１３０の中央側面発光部が面発光するように構成され、かつ、後側導光板１３０が遮光部１３３を備えるため、前側導光板１２０の中央側面発光部、縁取面発光部、後側導光板１３０の中央側面発光部による光装飾効果が強調されるように構成されている。
【００３７】
実施形態の光飾装置１００によれば、後側導光板１３０の上端面１３１と対向するようにＬＥＤ１５０を配置するとともに、前側導光板１２０の上端面１２１と対向するようにＬＥＤ１４０を配置した構成としたので、光飾装置１００の前後の厚さ寸法を小さくできるため、パチンコ機１の限られた前後スペース内での配置レイアウトが容易になるとともに、光飾効果も高い光飾装置１００を構成できる。
【００３８】
また、光飾装置１００は、前側導光板１２０の光意匠部における意匠部前面１２４を弱く光らせる中央側面発光部と、当該意匠部前面１２４を囲む意匠部周面１２５を意匠部前面１２４よりも強く光らせる縁取面発光部とを備え、さらに、後側導光板１３０の遮光部１３３が暗くなるように構成されているので、遊技者には、中央側面発光部によって弱く面発光する中央部と、中央部の周囲が縁取面発光部によって強く面発光する内側縁取面発光部と、内側縁取面発光部を囲んだ遮光部１３３によって暗くなる外側縁取面発光部とを備えた構成の光意匠部が視認されるようになり、明暗が強調されたメリハリのある光装飾効果を発揮する光飾装置１００となる。
つまり、前方から見た場合に、意匠部側周面１２５（縁取面発光部）が前側導光板１２０の意匠部前面１２４（中央側面発光部）及び後側導光板１３０の内側部分１３４（中央側面発光部）を囲むように配置され、かつ、遮光部１３３が意匠部周面１２５の外側を囲むように配置されたことによって、意匠部周面１２５が前側導光板１２０の意匠部前面１２４及び後側導光板の内側部分１３４よりも強く光って強調されたように視認され、かつ、遮光部１３３が前側導光板１２０の意匠部前面１２４及び後側導光板１３０の内側部分１３４よりも暗く視認されるように構成されているため、明暗が強調されたメリハリのある光装飾効果を発揮する光飾装置１００となる。
【００３９】
また、光飾装置１００は、複数のＬＥＤ１５０が、後側導光板１３０の上端面１３１の延長方向に沿って上端面１３１と対向するように配置されるとともに、複数のＬＥＤ１４０が、前側導光板１２０の上端面１２１の延長方向に沿って上端面１３１と対向するように基板１６０に配置され、これら複数のＬＥＤ１５０及び複数のＬＥＤ１４０が遊技盤３０の前後方向で近接しないように、後側導光板１３０の上端面１３１及び前側導光板１２０の上端面１２１の延長方向に沿って千鳥状に配置されている構成としたので、ＬＥＤ１５０から出射する光とＬＥＤ１４０から出射する光との干渉を少なくできる。
【００４０】
［パチンコ機の内部構成について］
図６は、パチンコ機１の制御を担う制御手段の構成を示すブロック図である。同図に示すように、パチンコ機１は、主として遊技全般に係る基本動作を制御する主制御回路２４０と、主として賞球の払出動作を制御する払出制御回路２５０と、主として遊技球の発射を制御する発射制御回路２６０と、上下の演出表示装置２１０，２１０、左右の役物装置２００，２００、スピーカユニット８、発光体としての上述したＬＥＤ１４０，１５０等を制御する演出制御回路２７０とを備える。
【００４１】
主制御回路２４０は、（メイン）ＣＰＵ２４０ａ、（メイン）ＲＯＭ２４０ｂ、及び（メイン）ＲＡＭ２４０ｃを備えてなり、ＣＰＵ２４０ａが、各検出スイッチやタイマからの入力に対応してＲＯＭ２４０ｂに予め格納されたプログラムを読み出して、当該プログラムに従った演算処理を行い、主制御回路２４０に接続された上述の各ソレノイドＳＯＬ１〜ＳＯＬ２や、遊技盤３０の遊技領域３０Ａの外方に配設された第１特別図柄表示装置３５Ａ、第２特別図柄表示装置３５Ｂ、第１特別図柄保留表示装置３６Ａ、第２特別図柄保留表示装置３６Ｂ、普通図柄表示装置３７、及び普通図柄保留表示装置３８といった各表示装置を直接的に制御したり、他の制御回路に多様なコマンドを送信する。また、このときＲＡＭ２４０ｃは、ＣＰＵ２４０ａの演算処理時におけるワークエリアとして機能し、演算に必要な各種のデータや、コマンドを一時的に保持する。
【００４２】
主制御回路２４０には、払出制御回路２５０、及び演出制御回路２７０が接続されている。払出制御回路２５０は、主制御回路２４０と同様に不図示のＣＰＵ、ＲＯＭ、ＲＡＭを備えたマイクロコンピュータであって、主制御回路２４０と一方向通信可能に接続されている。当該払出制御回路２５０には、外部情報出力端子板２５１が接続されている。外部情報出力端子板２５１は、主制御回路２４０（ＣＰＵ２４０ａ）及び払出制御回路２５０（払出ＣＰＵ）から出力された遊技の進行に関する種々の情報をパチンコ機１の設置店等に設けられたホストコンピュータ側に送信する。
【００４３】
また、払出制御回路２５０には、遊技者に対して賞球を払い出すための払出モータ２５２、及び賞球数計数スイッチ２５３が接続されている。払出制御回路２５０は、主制御回路２４０から送信される払出コマンドに含まれる賞球数情報に基づいて所定の賞球数が払い出されるように払出モータ２５２を制御する。当該払出モータ２５２の駆動により払い出された賞球は、賞球数計数スイッチ２５３により検出され、払出制御回路２５０側において、適正な賞球数が払い出されたかが把握される。なお、払出制御回路２５０には、この他、受皿６に許容数以上の遊技球が貯留されていることを検知する皿満タン検出スイッチや、本体枠３の扉が開放していることを検知する扉開放検出スイッチ等の各種のスイッチが接続される。
【００４４】
発射制御回路２６０には、ハンドルユニット７内に搭載されたタッチセンサ２６１、発射ボリューム２６２、図外の発射機構内に受皿６に貯留された遊技球を送り込む球送りモータ２６３、及び発射機構内に格納された球発射モータ２６４が接続されており、発射制御回路２６０は、払出制御回路２５０からの発射許可およびタッチセンサ２６１からの入力を条件として、遊技者によるハンドルユニット７の操作量に応じて変化する発射ボリューム２６２からの入力信号に基づいて球発射モータ２６４を制御し、受皿６に貯留された遊技球を所定の発射力により遊技領域３０Ａ内に打ち出す。
【００４５】
演出制御回路２７０は、遊技進行中や待機中における各種の演出を制御する。
演出制御回路２７０は、（サブ）ＣＰＵ２７０ａ、（サブ）ＲＯＭ２７０ｂ、（サブ）ＲＡＭ２７０ｃを備えてなり、主制御回路２４０に対して、主制御回路２４０から演出制御回路２７０に対してのみ通信（一方向通信）が可能なように接続されている。当該演出制御回路２７０は、主制御回路２４０から送信される演出に関する各種のコマンドや内部タイマからの入力信号に基づいて、ＲＯＭ２７０ｂに予め格納されたプログラムを読み出して、当該プログラムに従った演算処理を行い、上下の演出表示装置２１０，２１０の演出表示画面２１５，２１５の画像制御、左右の役物装置２００，２００の駆動制御、遊技進行中における楽曲や効果音などの音声をスピーカユニット８から出力させる音声出力制御や、光飾装置１００のＬＥＤ１４０，１５０を多様なパターンにより発行させる発光制御等を実行する。このときＲＡＭ２７０ｃは、ＣＰＵ２７０ａの演算処理時におけるワークエリアとして機能し、演算に必要な各種のデータや、コマンド等を一時的に保持する。
【００４６】
また、演出制御回路２７０は、ＣＰＵ２７０ａと接続され、当該ＣＰＵ２７０ａより送信される画像表示に係る各種のコマンドを受信して演出表示画面１０５に多様な画像を表示するためのＶＤＰ、及び上記画像表示処理中に必要な各種のデータ等を一時的に保存するＶＲＡＭ、音声制御のための音声合成ＬＳＩ等、各種制御に必要なハードウェアを備えている。また、演出制御回路２７０には、遊技者の任意に操作可能な前述の操作機構９が接続されており、例えば当該操作機構９の操作タイミングに合せて前述の各制御を実行し、操作機構９の操作タイミングに従った所定の演出を表現することが可能である。
【００４７】
以下、上記構成からなるパチンコ機１の遊技の流れについて概説する。
遊技者のハンドルユニット７の操作により遊技領域３０Ａ内を流下する遊技球が前述の第１始動部品５０又は第２始動部品５２に入球すると、主制御回路２４０では特別遊技（所謂大当り遊技）の実行可否に関する抽選、特別図柄の種類を決定する抽選、特別図柄の変動パターンを決定する抽選等の種々の抽選を実行する。
そして、上記抽選のうち、特図当否抽選の結果が「当り」である場合には、前述の大入賞装置６０を開放動作させ、遊技球の入球を容易とする特別遊技が実行される。
【００４８】
尚、実施形態１では、前側導光板１２０の上端面１２１及び後側導光板１３０の上端面１３１と対向するようにＬＥＤ１４０，１５０を配置した構成を示したが、ＬＥＤは導光板の端面と対向するように配置されればよい。例えば、ＬＥＤを導光板の下端面と対向するように配置しても良いし、ＬＥＤを導光板の左端面と対向するように配置しても良いし、ＬＥＤを導光板の右端面と対向するように配置しても良い。
【００４９】
以上、本発明を実施の形態に基づいて説明したが、本発明の技術的範囲は上記実施形態に何ら限定されることはなく、実施形態を組み合わせて多様な変更、改良を行い得ることが当業者において明らかである。また、そのような多様な変更、改良を加えた形態も本発明の技術的範囲に含まれ得ることが特許請求の範囲の記載から明らかである。
【符号の説明】
【００５０】
１  パチンコ機（遊技機）、３０  遊技盤、３０Ｆ  盤面、１００  光飾装置、
１１０  反射板、１２０  前側導光板、１２１  上端面（端面）、１３０  後側導光板、
１３１  上端面（端面）、１３３  遮光部、１４０，１５０  ＬＥＤ（発光体）。
【図１】
2016214672.tif 000003
【図２】
2016214672.tif 000004
【図３】
2016214672.tif 000005
【図４】
2016214672.tif 000006
【図５】
2016214672.tif 000007
【図６】
2016214672.tif 000008